(57)【要約】【課題】下りリンクフレームのタイミング調整にかかる時間を短縮する。【解決手段】ＲＥＣ２０は、送信ＳＥＲＤＥＳ２２と、受信ＳＥＲＤＥＳ２４と、調整部２５とを有する。調整部２５は、下りリンク及び上りリンクの同期が確立した後に、ＲＥ３０のアンテナ４０からの下りリンクフレームの送信タイミングが所定のタイミングとなるように、送信ＳＥＲＤＥＳ２２から送信される下りリンクフレームの送信タイミングを調整する。ＲＥ３０は、送信ＳＥＲＤＥＳ３３と、受信ＳＥＲＤＥＳ３１と、制御部３６とを有する。制御部３６は、ＲＥＣ２０との間で下りリンクの同期が確立した後に、送信ＳＥＲＤＥＳ３３に上りリンクフレームの送信を開始させる。また、制御部３６は、下りリンクフレームの送信タイミングの調整により下りリンクの同期外れが検出された場合であっても、送信ＳＥＲＤＥＳ３３に上りリンクフレームの送信タイミングを維持させる。【選択図】図２
2017085473.tif 000002
【特許請求の範囲】
【請求項１】
無線制御装置と、前記無線制御装置とケーブルを介して接続された無線装置とを有する伝送システムにおいて、
前記無線制御装置は、
前記無線制御装置から前記無線装置への下りリンクにおいて前記ケーブルを介して下りリンクフレームを送信する第１の送信部と、
前記無線装置から前記無線制御装置への上りリンクにおいて前記ケーブルを介して前記無線装置から上りリンクフレームを受信する第１の受信部と、
前記無線装置との間で前記下りリンクおよび前記上りリンクの同期が確立した後に、前記無線装置のアンテナからの前記下りリンクフレームの送信タイミングが所定のタイミングとなるように、前記第１の送信部から送信される前記下りリンクフレームの送信タイミングを調整する調整部と
を有し、
前記無線装置は、
前記下りリンクにおいて前記ケーブルを介して前記無線制御装置から前記下りリンクフレームを受信する第２の受信部と、
前記上りリンクにおいて前記ケーブルを介して前記無線制御装置へ前記上りリンクフレームを送信する第２の送信部と、
前記無線制御装置との間で前記下りリンクの同期が確立した後に、前記第２の送信部に、前記上りリンクフレームの送信を開始させる制御部と
を有し、
前記無線装置の制御部は、
前記第２の送信部に前記上りリンクフレームの送信を開始させた後に、前記下りリンクフレームの送信タイミングの調整により前記下りリンクの同期外れが検出された場合であっても、前記第２の送信部に前記上りリンクフレームの送信タイミングを維持させることを特徴とする伝送システム。
【請求項２】
前記第２の送信部は、
前記無線制御装置との間で前記下りリンクの同期が確立した後に、前記第２の受信部が受信した前記下りリンクフレームに応じた信号を、予め定められた第１の時間遅延したタイミングで前記上りリンクフレームとして前記ケーブルを介して前記無線制御装置へ送信し、
前記制御部は、
前記下りリンクの同期外れが検出された場合、前記下りリンクの同期外れが検出される前まで送信されていた前記上りリンクフレームの送信タイミングと同一のタイミングで、前記第２の送信部に前記上りリンクフレームの送信を継続させることを特徴とする請求項１に記載の伝送システム。
【請求項３】
前記無線装置は、
前記下りリンクの同期外れが検出された後に、前記下りリンクの同期が再び確立した場合に、前記下りリンクの同期が再び確立した後に前記第２の受信部が前記下りリンクフレームを受信するタイミングと、前記第２の送信部が継続している前記上りリンクフレームの送信タイミングとの時間差である第２の時間を測定する測定部を有し、
前記調整部は、
前記下りリンクフレームの送信タイミングを変更した後に、前記無線装置において測定される前記第２の時間を推定し、推定した前記第２の時間と、前記測定部によって測定された前記第２の時間との差が所定の閾値未満である場合に、前記下りリンクフレームの送信タイミングの調整が終了したと判定し、推定した前記第２の時間と、前記測定部によって測定された前記第２の時間との差が前記閾値以上である場合に、前記測定部によって測定された前記第２の時間に基づいて前記下りリンクフレームの送信タイミングを再度変更することを特徴とする請求項２に記載の伝送システム。
【請求項４】
前記制御部は、
前記測定部によって測定された前記第２の時間が第３の時間より長い場合、前記第２の送信部から送信される前記上りリンクフレームの送信タイミングを、前記第２の受信部が前記下りリンクフレームを受信してから前記第１の時間が経過したタイミングに変更することを特徴とする請求項３に記載の伝送システム。
【請求項５】
前記制御部は、
前記下りリンクの同期外れが検出されてから第４の時間以上経過しても前記下りリンクフレームの再同期が確立しなかった場合に、前記第２の送信部に前記上りリンクフレームの送信を停止させることを特徴とする請求項１から４のいずれか一項に記載の伝送システム。
【請求項６】
無線制御装置から無線装置への下りリンクにおいてケーブルを介して前記無線制御装置から下りリンクフレームを受信する受信部と、
前記無線装置から前記無線制御装置への上りリンクにおいて前記ケーブルを介して前記無線制御装置へ上りリンクフレームを送信する送信部と、
前記無線制御装置との間で前記下りリンクの同期が確立した後に、前記送信部に、前記ケーブルを介して前記無線制御装置への前記上りリンクフレームの送信を開始させる制御部と
を有し、
前記制御部は、
前記送信部に前記上りリンクフレームの送信を開始させた後に、前記無線制御装置によって前記下りリンクフレームの送信タイミングが調整されたことにより前記下りリンクの同期外れが検出された場合であっても、前記送信部に前記上りリンクフレームの送信タイミングを維持させることを特徴とする無線装置。
【請求項７】
無線制御装置と、前記無線制御装置とケーブルを介して接続された無線装置とを有する伝送システムにおける同期確立方法において、
前記無線制御装置が、
前記無線制御装置から前記無線装置への下りリンクにおいて前記ケーブルを介して前記無線装置へ下りリンクフレームを送信し、
前記無線装置から前記無線制御装置への上りリンクにおいて前記ケーブルを介して前記無線装置から上りリンクフレームを受信し、
前記無線装置との間で前記下りリンクおよび前記上りリンクの同期が確立した後に、前記無線装置のアンテナからの前記下りリンクフレームの送信タイミングが所定のタイミングとなるように、前記無線制御装置から送信される前記下りリンクフレームの送信タイミングを調整する
処理を実行し、
前記無線装置が、
前記下りリンクにおいて前記ケーブルを介して前記無線制御装置から前記下りリンクフレームを受信し、
前記無線制御装置との間で前記下りリンクの同期が確立した後に、前記上りリンクにおいて前記ケーブルを介して前記無線制御装置への前記上りリンクフレームの送信を開始し、
前記上りリンクフレームの送信を開始した後に、前記下りリンクフレームの送信タイミングの調整により前記下りリンクの同期外れが検出された場合であっても、前記上りリンクフレームの送信タイミングを維持する
処理を実行することを特徴とする同期確立方法。
【発明の詳細な説明】
【技術分野】
【０００１】
本発明は、伝送システム、無線装置および同期確立方法に関する。
【背景技術】
【０００２】
１台のＲＥＣ（Radio  Equipment  Controller）に、複数のＲＥ（Radio  Equipment）が同軸ケーブルや光ファイバ等のケーブルを介して接続された基地局システムが知られている。ＲＥＣとＲＥとの間では、ＣＰＲＩ（Common  Public  Radio  Interface）と呼ばれる通信規格に基づいて通信が行われる。このような基地局システムでは、ＲＥから移動局へ無線送信される下りリンクフレームのタイミングが、各ＲＥのアンテナ端で同期するように、ＲＥＣは各ＲＥへ送信する下りリンクフレームのタイミングを調整している。
【０００３】
各ＲＥの設置場所は異なるため、ＲＥＣとＲＥを接続する光ファイバケーブルの長さはＲＥ毎に異なる。従って、ＲＥＣとＲＥを接続する光ファイバケーブルの伝送遅延Ｔ１２はＲＥ毎に異なる。また、ＲＥの内部構成や処理能力は、ベンダ毎に異なるため、ＲＥが下りリンクフレームを受信してから、受信した下りリンクフレームをアンテナから送信するまでにかかる処理時間Ｔ２ａも、ＲＥ毎に異なる。そのため、ＲＥＣから各ＲＥへ送信される下りリンクフレームの送信タイミングは、Ｔ１２とＴ２ａとを元に調整される。
【０００４】
ＲＥＣにおける下りリンクフレームのタイミング調整では、まず、ＲＥＣが、任意のタイミングで下りリンクフレームをＲＥへ送信することにより、ＲＥＣとＲＥとの間で下りリンクおよび上りリンクの同期が確立される。そして、ＲＥは、ＲＥＣから受信した下りリンクフレームを、所定時間（以下、Ｔｏｆｆｓｅｔと呼ぶ）が経過した後に、上りリンクフレームとしてＲＥＣへ送信する。ＲＥＣは、ＲＥへ送信した下りリンクフレームが上りリンクフレームとして返ってくるまでの往復時間Ｔ１４を測定する。そして、ＲＥＣは、ＴｏｆｆｓｅｔおよびＴ１４に基づいてＴ１２を算出する。そして、ＲＥＣは、Ｔ１２とＴ２ａとに基づいて、下りリンクフレームのタイミングを変更する。
【０００５】
下りリンクフレームのタイミングが変更されると、ＲＥは、下りリンクフレームに付加された同期信号を見失うことにより、下りリンクの同期外れを検出する。下りリンクの同期外れが検出された場合、ＲＥは、上りリンクフレームの送信を停止する。そして、下りリンクの同期が再び確立されると、ＲＥは、上りリンクフレームの送信を再開する。そして、ＲＥＣは、Ｔ１４を再度測定し、再度測定したＴ１４とＴｏｆｆｓｅｔとに基づいて、Ｔ１２を再度算出する。そして、ＲＥＣは、下りリンクフレームの送信タイミングからＴ１２およびＴ２ａが経過したタイミングと、基準タイミングとの差が所定値未満である場合に、下りリンクフレームのタイミング調整を終了する。
【先行技術文献】
【特許文献】
【０００６】
【特許文献１】特表２０１５−５０１６０１号公報
【特許文献２】特開２０１５−０５３５４７号公報
【特許文献３】特開２０１２−０９５０５７号公報
【発明の概要】
【発明が解決しようとする課題】
【０００７】
ところで、ＲＥは、下りリンクの同期外れが検出された場合、上りリンクフレームの送信を行うＳＥＲＤＥＳ（SERializer  DESerializer）を停止させることにより、上りリンクフレームの送信を停止する。そして、下りリンクの同期が再び確立された場合、ＲＥは、ＳＥＲＤＥＳを起動することにより、上りリンクフレームの送信を再開する。この場合、送信が再開された上りリンクフレームでは、ＳＥＲＤＥＳに起因する遅延誤差が発生する。そのため、ＲＥＣが、下りリンクフレームのタイミングを変更した後に、再度Ｔ１４を測定すると、ＳＥＲＤＥＳの遅延誤差により、Ｔ１４の値が変化する場合がある。そのため、再度測定されたＴ１４に基づいて算出されたＴ１２が変化する場合がある。そして、下りリンクフレームの送信タイミングからＴ１２およびＴ２ａが経過したタイミングと、基準タイミングとの差が所定値以上となった場合には、下りリンクフレームのタイミング調整が再度実行されることになる。そのため、下りリンクフレームのタイミング調整にかかる時間が長くなる場合があり、その分、ＲＥの運用開始が遅れることになる。
【０００８】
開示の技術は、上記に鑑みてなされたものであって、無線制御装置と無線装置との間のタイミング調整にかかる時間を短縮することを目的とする。
【課題を解決するための手段】
【０００９】
開示の態様では、伝送システムは、無線制御装置と、無線制御装置とケーブルを介して接続された無線装置とを有する。無線制御装置は、第１の送信部と、第１の受信部と、調整部とを有する。第１の送信部は、ケーブルを介して無線装置へ下りリンクフレームを送信する。第１の受信部は、ケーブルを介して無線装置から上りリンクフレームを受信する。調整部は、無線制御装置と無線装置との間で下りリンクフレームおよび上りリンクの同期が確立された後に、無線装置のアンテナからの下りリンクフレームの送信タイミングが所定のタイミングとなるように、第１の送信部から送信される下りリンクフレームの送信タイミングを調整する。無線装置は、第２の受信部と、第２の送信部と、制御部とを有する。第２の受信部は、ケーブルを介して無線制御装置から下りリンクフレームを受信する。第２の送信部は、ケーブルを介して無線制御装置へ上りリンクフレームを送信する。制御部は、無線制御装置との間で下りリンクの同期が確立した後に、第２の送信部に、上りリンクフレームの送信を開始させる。また、制御部は、第２の送信部に上りリンクフレームの送信を開始させた後に、下りリンクフレームの送信タイミングの調整により下りリンクの同期外れが検出された場合であっても、第２の送信部に上りリンクフレームの送信タイミングを維持させる。
【発明の効果】
【００１０】
開示の態様によれば、無線制御装置と無線装置との間のタイミング調整にかかる時間を短縮することができる。
【図面の簡単な説明】
【００１１】
【図１】図１は、伝送システムの一例を示す図である。
【図２】図２は、ＲＥＣおよびＲＥの一例を示すブロック図である。
【図３】図３は、下りリンクフレームおよび上りリンクフレームのタイミングの一例を示す図である。
【図４】図４は、記憶部に記憶されるデータの一例を示す図である。
【図５】図５は、１回目の同期確立における伝送システムの動作の一例を示す図である。
【図６】図６は、下りリンクフレームのタイミングが変更された場合の従来の伝送システムの動作の一例を示す図である。
【図７】図７は、下りリンクフレームのタイミングが変更された場合の本実施例の伝送システムの動作の一例を示す図である。
【図８】図８は、下りリンクフレームのタイミングが変更された場合の本実施例の伝送システムの動作の一例を示す図である。
【図９】図９は、ＲＥＣにおけるタイミング調整処理の一例を示すフローチャートである。
【図１０】図１０は、ＲＥにおけるタイミング調整処理の一例を示すフローチャートである。
【図１１】図１１は、上りリンクフレームの送信タイミングを説明する図である。
【図１２】図１２は、上りリンクフレームの送信タイミングを説明する図である。
【図１３】図１３は、ＲＥＣを実現する通信装置のハードウェアの一例を示す図である。
【図１４】図１４は、ＲＥを実現する通信装置のハードウェアの一例を示す図である。
【発明を実施するための形態】
【００１２】
以下に、本願が開示する伝送システム、無線装置および同期確立方法の実施例を図面に基づいて説明する。なお、以下に示す実施例により本願が開示する伝送システム、無線装置および同期確立方法が限定されるものではない。
【実施例】
【００１３】
＜伝送システム１０＞
図１は、伝送システム１０の一例を示す図である。伝送システム１０は、ＲＥＣ２０および複数のＲＥ３０−１〜３０−４を有する。ＲＥ３０−１にはアンテナ４０−１が設けられ、ＲＥ３０−２にはアンテナ４０−２が設けられ、ＲＥ３０−３にはアンテナ４０−３が設けられ、ＲＥ３０−４にはアンテナ４０−４が設けられる。ＲＥ３０−１は、ケーブル１２−１を介してＲＥＣ２０に接続され、ＲＥ３０−２は、ケーブル１２−２を介してＲＥＣ２０に接続され、ＲＥ３０−３は、ケーブル１２−３を介してＲＥＣ２０に接続される。ＲＥ３０−４は、ケーブル１２−４を介してＲＥ３０−３に接続される。
【００１４】
なお、以下では、ＲＥ３０−１〜３０−４のそれぞれを区別することなく総称する場合にＲＥ３０と記載し、アンテナ４０−１〜４０−４のそれぞれを区別することなく総称する場合にアンテナ４０と記載する。また、以下では、ケーブル１２−１〜１２−４のそれぞれを区別することなく総称する場合にケーブル１２と記載する。各ケーブル１２は、例えば光ファイバケーブルであり、ＲＥＣ２０と各ＲＥ３０との間では、例えばＣＰＲＩと呼ばれる通信規格に基づいて通信が行われる。ＲＥＣ２０は、無線制御装置の一例である。各ＲＥ３０は、無線装置の一例である。
【００１５】
図１に示す伝送システム１０において、ＲＥＣ２０は、コア網１１を介して受信したデータに基づいて下りリンクフレームを作成する。そして、ＲＥＣ２０は、作成した下りリンクフレームを、ケーブル１２を介してＲＥ３０へ送信する。また、ＲＥＣ２０は、ケーブル１２を介してＲＥ３０から受信した上りリンクフレームのデータを、コア網１１を介して送信する。ＲＥ３０は、ケーブル１２を介してＲＥＣ２０から受信した下りリンクフレームを、アンテナ４０を介して無線送信する。ＲＥ３０は、ケーブル１２を介して受信した信号に基づいて上りリンククレームを作成する。そして、ＲＥ３０は、作成した上りリンクフレームを、ケーブル１２を介してＲＥＣ２０へ送信する。
【００１６】
また、ＲＥＣ２０は、ＲＥ３０から無線送信される下りリンクフレームのタイミングが、各ＲＥ３０のアンテナ４０端で基準タイミングとなるように、各ＲＥ３０へ送信する下りリンクフレームのタイミングを調整する。具体的には、ＲＥＣ２０は、ＲＥ３０毎に、ＲＥ３０へ送信した信号の往復時間に基づいて、ケーブル１２の伝送遅延Ｔ１２を算出する。また、ＲＥＣ２０は、ＲＥ３０が下りリンクフレームを受信してから、受信した下りリンクフレームをアンテナ４０から送信するまでの処理時間Ｔ２ａをＲＥ３０から取得する。Ｔ２ａは、各ＲＥ３０に固有の値であり、各ＲＥ３０内に予め格納されている。そして、ＲＥＣ２０は、下りリンクフレームの送信タイミングを、基準タイミングからＴ１２およびＴ２ａ遡ったタイミングに調整する。これにより、下りリンクフレームが、基準タイミングで、各ＲＥ３０のアンテナ４０から無線送信される。
【００１７】
なお、以下では、ＲＥ３０から無線送信される下りリンクフレームのタイミングが、各ＲＥ３０のアンテナ４０端で基準タイミングとなるように、ＲＥ３０へ送信する下りリンクフレームのタイミングを調整する処理を、タイミング調整処理と呼ぶ。また、以下では、ＲＥＣ２０からＲＥ３０への伝送路を下りリンクと呼び、下りリンクにおいて伝送されるフレームを下りリンクフレームと呼ぶ。また、ＲＥ３０からＲＥＣ２０への伝送路を上りリンクと呼び、上りリンクにおいて伝送されるフレームを上りリンクフレームと呼ぶ。
【００１８】
＜ＲＥＣ２０およびＲＥ３０の構成＞
図２は、ＲＥＣ２０およびＲＥ３０の一例を示すブロック図である。図２の例では、ＲＥＣ２０とＲＥ３０とは、ケーブル１２ａおよびケーブル１２ｂを介して接続されている。そして、ＲＥＣ２０からＲＥ３０へ送信される下りリンクフレームはケーブル１２ａを介してＲＥ３０へ伝送され、ＲＥ３０からＲＥＣ２０へ送信される上りリンクフレームはケーブル１２ｂを介してＲＥＣ２０へ伝送される。なお、ＲＥＣ２０とＲＥ３０とは、１本のケーブル１２を介して接続され、下りリンクフレームおよび上りリンクフレームの双方が該ケーブル１２を介して伝送されてもよい。
【００１９】
ＲＥＣ２０とＲＥ３０との間で送受信される下りリンクフレームおよび上りリンクフレームは、例えばハイパーフレームと呼ばれる。ハイパーフレームは、ヘッダおよびペイロードを有し、１フレームの長さＴｆは例えば６６μ秒である。ヘッダの先頭には同期信号が付加される。ヘッダには、フレーム番号（ＨＦＮ：Hyper  Frame  Number）、プロトコルのバージョン、およびビットレート等の情報が含まれる。
【００２０】
ここで、図２に示すように、ＲＥＣ２０とケーブル１２ａとの接続点をＲ１、ＲＥ３０とケーブル１２ａとの接続点をＲ２、ＲＥ３０とケーブル１２ｂとの接続点をＲ３、ＲＥＣ２０とケーブル１２ｂとの接続点をＲ４とそれぞれ定義する。また、ＲＥ３０とアンテナ４０との接続点をＲａと定義する。また、ケーブル１２ａの伝送遅延をＴ１２と定義し、ケーブル１２ｂの伝送遅延をＴ３４と定義する。また、接続点Ｒ２において下りリンクフレームが受信されてから、該下りリンクフレームに対応する上りリンクフレームが接続点Ｒ３から送信されるまでの時間をＴｏｆｆｓｅｔと定義する。また、接続点Ｒ１から下りリンクフレームが送信されてから、該下りリンクフレームに対応する上りリンクフレームがＲＥ３０から送信されて接続点Ｒ４において受信されるまでの往復時間をＴ１４と定義する。また、接続点Ｒ２において下りリンクフレームが受信されてから、該下りリンクフレームが接続点Ｒａからアンテナ４０へ出力されるまでの処理時間をＴ２ａと定義する。
【００２１】
接続点Ｒ１において下りリンクフレームが送信されてから、該下りリンクフレームに対応する上りリンクフレームがＲＥ３０から送信されて接続点Ｒ４において受信されるまでの過程を図示すると、例えば図３のようになる。図３は、下りリンクフレームおよび上りリンクフレームのタイミングの一例を示す図である。図３に示すように、下りリンクフレーム５０ａおよび上りリンクフレーム５０ｂは、１フレームの期間Ｔｆが例えば６６μ秒であり、先頭に同期信号５１が付加されている。
【００２２】
例えば図３に示すように、下りリンクフレーム５０ａは、例えばＴｆ毎に、接続点Ｒ１から送信される。接続点Ｒ１から送信された下りリンクフレーム５０ａは、ケーブル１２ａを介して伝送され、Ｔ１２が経過した後に、接続点Ｒ２において受信される。接続点Ｒ２において受信された下りリンクフレーム５０ａは、Ｔ２ａが経過した後に、接続点Ｒａからアンテナ４０を介して送信される。また、接続点Ｒ２において受信された下りリンクフレーム５０ａは、Ｔｏｆｆｓｅｔが経過した後に、接続点Ｒ３から上りリンクフレーム５０ｂとして送信される。接続点Ｒ３から送信された上りリンクフレーム５０ｂは、ケーブル１２ｂを介して伝送され、Ｔ３４が経過した後に、接続点Ｒ４において受信される。接続点Ｒ１から送信された下りリンクフレーム５０ａは、Ｔ１４が経過した後に、上りリンクフレーム５０ｂとして接続点Ｒ４において受信される。
【００２３】
＜ＲＥＣ２０の構成＞
ＲＥＣ２０は、例えば図２に示すように、ＣＰＲＩ送信部２１、送信ＳＥＲＤＥＳ２２、ＣＰＲＩ受信部２３、受信ＳＥＲＤＥＳ２４、および調整部２５を有する。ＣＰＲＩ送信部２１は、ＲＥＣ２０内の処理部およびＣＰＲＩ送信部２１から出力されたデータを用いて下りリンクフレームを作成する。そして、ＣＰＲＩ送信部２１は、作成した下りリンクフレームを、調整部２５から指示されたタイミングで送信ＳＥＲＤＥＳ２２へ出力する。
【００２４】
送信ＳＥＲＤＥＳ２２は、ＣＰＲＩ送信部２１によって作成された下りリンクフレームをパラレル信号からシリアル信号に変換する。そして、送信ＳＥＲＤＥＳ２２は、変換後の下りリンクフレームを電気信号から光信号に変換し、変換後の下りリンクフレームを、接続点Ｒ１からケーブル１２ａへ送信する。
【００２５】
受信ＳＥＲＤＥＳ２４は、接続点Ｒ４においてケーブル１２ｂを介して上りリンクフレームを受信し、受信した上りリンクフレームを、光信号から電気信号に変換する。そして、受信ＳＥＲＤＥＳ２４は、変換後の上りリンクフレームを、シリアル信号からパラレル信号に変換してＣＰＲＩ受信部２３へ出力する。
【００２６】
ＣＰＲＩ受信部２３は、受信ＳＥＲＤＥＳ２４から出力された上りリンクフレームの先頭に付加された同期信号に基づいて、上りリンクの同期確立を判定する。ＣＰＲＩ受信部２３は、例えば、４回連続して同期信号の検出に成功した場合に、上りリンクの同期が確立したと判定する。そして、ＣＰＲＩ受信部２３は、受信ＳＥＲＤＥＳ２４から出力された上りリンクフレームに含まれるデータを用いて、ＣＰＲＩリンクの同期確立を判定する。ＣＰＲＩ受信部２３は、例えば、上りリンクの同期が確立した後に、上りリンクフレームのヘッダに含まれるプロトコルのバージョンおよびビットレート等の情報が所定の情報であることを検出した場合に、ＣＰＲＩリンクの同期が確立したと判定する。
【００２７】
そして、ＣＰＲＩ受信部２３は、ＲＥ３０との間でＣＰＲＩリンクの同期が確立された後に、受信ＳＥＲＤＥＳ２４から出力された上りリンクフレームを調整部２５およびＲＥＣ２０内の処理部へ出力する。
【００２８】
また、ＣＰＲＩ受信部２３は、上りリンクの同期外れを検出した場合、上りリンクの同期外れを調整部２５に通知する。ＣＰＲＩ受信部２３は、例えば、上りリンクの同期が確立している状態で、３回連続して同期信号の検出に失敗した場合に、上りリンクの同期外れを検出する。
【００２９】
調整部２５は、ＣＰＲＩ送信部２１に指示する下りリンクフレームの送信タイミングを、下りリンクフレームがＲＥ３０のアンテナ４０から基準タイミングで無線送信されように調整する。具体的には、調整部２５は、接続点Ｒ１から下りリンクフレームが送信されてから、該下りリンクフレームに含まれるフレーム番号と同一のフレーム番号を含む上りリンクフレームが接続点Ｒ４において受信されるまでの往復時間Ｔ１４を測定する。
【００３０】
そして、調整部２５は、例えばレイヤ３のメッセージであるＲＥ装置情報要求を含む下りリンクフレームを、ＣＰＲＩ送信部２１を介してＲＥ３０へ送信する。そして、調整部２５は、例えばレイヤ３のメッセージであるＲＥ装置情報応答を含む上りリンクフレームを、ＣＰＲＩ受信部２３を介してＲＥ３０から受信する。ＲＥ装置情報応答には、ＴｏｆｆｓｅｔおよびＴ２ａの情報が含まれる。
【００３１】
そして、調整部２５は、例えば下記の（１）式を用いて、ケーブル１２ａの伝送遅延Ｔ１２を算出する。
Ｔ１２＝（Ｔ１４−Ｔｏｆｆｓｅｔ１）／２      ・・・（１）
【００３２】
上記（１）式において、Ｔｏｆｆｓｅｔ１は、ＲＥ３０に初期値として保持されているＴｏｆｆｓｅｔの値であり、下りリンクフレームの送信タイミングが変更される前のＴｏｆｆｓｅｔの値である。Ｔｏｆｆｓｅｔ１は、第１の時間の一例である。なお、上記（１）式では、ケーブル１２ａの伝送遅延Ｔ１２と、ケーブル１２ｂの伝送遅延Ｔ３４とが同一と仮定されている。
【００３３】
そして、調整部２５は、例えば下記の（２）式を用いて、ＲＥＣ２０の接続点Ｒ１から出力された下りリンクフレームがＲＥ３０とアンテナ４０との接続点Ｒａから送信されるまでの遅延時間Ｔｄ１を算出する。
Ｔｄ１＝Ｔ１２＋Ｔ２ａ      ・・・（２）
【００３４】
そして、調整部２５は、基準タイミングＴｒと、接続点Ｒ１における現在の下りリンクフレームの送信タイミングＴｃからＴｄ１が経過したタイミングとの時間差Ｔｄ２を、例えば下記の（３）式を用いて算出する。
Ｔｄ２＝Ｔｒ−（Ｔｃ＋Ｔｄ１）      ・・・（３）
【００３５】
そして、調整部２５は、Ｔｄ２の絶対値が所定の閾値ΔＴ１未満であるか否かを判定する。ＲＥ３０のアンテナ４０端から送信される下りリンクフレームの送信タイミングと基準タイミングＴｒとの差が閾値ΔＴ１未満である場合、Ｔｄ２の絶対値が所定の閾値ΔＴ１未満となる。そのため、調整部２５は、下りリンクフレームの送信タイミングの変更を行うことなく、タイミング調整処理の終了を示すメッセージを含む下りリンクフレームを、ＣＰＲＩ送信部２１を介してＲＥ３０へ送信する。
【００３６】
一方、Ｔｄ２の絶対値が所定の閾値ΔＴ１以上である場合、調整部２５は、接続点Ｒ１における現在の下りリンクフレームの送信タイミングＴｃを、Ｔｄ２ずらしたタイミングに変更する。具体的には、現在の下りリンクフレームの送信タイミングＴｃからＴｄ１後のタイミングが、基準タイミングＴｒよりも時間的に前のタイミングである場合、即ち、Ｔｄ２が正の値である場合、調整部２５は、送信タイミングＴｃをＴｄ２分時間的に後の方にずらす。一方、現在の下りリンクフレームの送信タイミングＴｃからＴｄ１後のタイミングが、基準タイミングＴｒよりも時間的に後のタイミングである場合、即ち、Ｔｄ２が負の値である場合、調整部２５は、送信タイミングＴｃをＴｄ２分時間的に前の方にずらす。そして、調整部２５は、変更後のタイミングでの下りリンクフレームの送信をＣＰＲＩ送信部２１に指示する。
【００３７】
本実施例では、下りリンクフレームの送信タイミングが変更されても、所定の条件が満たされる場合には、ＲＥ３０は、上りリンクフレームの送信タイミングを変更しない。下りリンクフレームの送信タイミングが変更されても、上りリンクフレームの送信タイミングが変更されない場合、Ｔｏｆｆｓｅｔが変化することになる。調整部２５は、下りリンクフレームの送信タイミングの変更により変化したＴｏｆｆｓｅｔの期待値であるＴｏｆｆｓｅｔ２ｅを、例えば下記の（４）式を用いて推定する。
Ｔｏｆｆｓｅｔ２ｅ＝Ｔｏｆｆｓｅｔ１−Ｔｄ２      ・・・（４）
【００３８】
次に、調整部２５は、下りリンクフレームの送信タイミングを変更した後に、ＲＥ３０から変更後のＴｏｆｆｓｅｔであるＴｏｆｆｓｅｔ２を取得する。具体的には、調整部２５は、ＣＰＲＩ送信部２１を介してＲＥ装置情報要求を含む下りリンクフレームをＲＥ３０へ送信し、ＣＰＲＩ受信部２３を介してＲＥ３０からＲＥ装置情報応答を含む上りリンクフレームを受信する。そして、調整部２５は、ＲＥ装置情報応答からＴｏｆｆｓｅｔ２を取得する。Ｔｏｆｆｓｅｔ２は、第２の時間の一例である。
【００３９】
次に、調整部２５は、上記（４）式を用いて推定した期待値Ｔｏｆｆｓｅｔ２ｅと、ＲＥ３０から取得したＴｏｆｆｓｅｔ２との差分Ｔｄ３の絶対値が、所定の閾値ΔＴ２未満か否かを判定する。調整部２５は、差分Ｔｄ３の絶対値がΔＴ２未満である場合、タイミング調整処理の終了を示すメッセージを含む下りリンクフレームを、ＣＰＲＩ送信部２１を介してＲＥ３０へ送信する。
【００４０】
一方、差分Ｔｄ３の絶対値がΔＴ２以上である場合、調整部２５は、再度Ｔ１４を測定する。そして、調整部２５は、Ｔｏｆｆｓｅｔ１をＴｏｆｆｓｅｔ２に置き換えた前述の（１）式を用いて、Ｔ１２を再度算出する。そして、調整部２５は、再度算出したＴ１２と前述の（２）式とを用いてＴｄ１を再度算出する。そして、調整部２５は、再度算出したＴｄ１と前述の（３）式とを用いてＴｄ２を再度算出する。そして、調整部２５は、現在の下りリンクフレームの送信タイミングＴｃを、算出したＴｄ２に基づいて再度変更する。調整部２５は、以上の処理を、差分Ｔｄ３の絶対値がΔＴ２未満となるまで繰り返す。これにより、ＲＥ３０のアンテナ４０端からの下りリンクフレームの送信タイミングと、基準タイミングとの差を所定値以内に調整することができる。
【００４１】
＜ＲＥ３０の構成＞
ＲＥ３０は、例えば図２に示すように、受信ＳＥＲＤＥＳ３１、ＣＰＲＩ受信部３２、送信ＳＥＲＤＥＳ３３、ＣＰＲＩ送信部３４、測定部３５、制御部３６、記憶部３７、および無線処理部３８を有する。
【００４２】
受信ＳＥＲＤＥＳ３１は、ケーブル１２ａを介して接続点Ｒ２においてＲＥＣ２０から下りリンクフレームを受信し、受信した下りリンクフレームを、光信号から電気信号に変換する。そして、受信ＳＥＲＤＥＳ３１は、変換後の下りリンクフレームを、シリアル信号からパラレル信号に変換してＣＰＲＩ受信部３２へ出力する。
【００４３】
ＣＰＲＩ受信部３２は、受信ＳＥＲＤＥＳ３１から出力された下りリンクフレームの先頭に付加された同期信号に基づいて、下りリンクの同期確立を判定する。ＣＰＲＩ受信部３２は、例えば、４回連続して同期信号の検出に成功した場合に、下りリンクの同期が確立したと判定する。そして、ＣＰＲＩ受信部３２は、受信ＳＥＲＤＥＳ３１から出力された下りリンクフレームに含まれるデータを用いて、ＣＰＲＩリンクの同期確立を判定する。ＣＰＲＩ受信部３２は、例えば、下りリンクの同期が確立した後に、下りリンクフレームのヘッダに含まれるプロトコルのバージョンおよびビットレート等の情報が所定の情報であることを検出した場合に、ＣＰＲＩリンクの同期が確立したと判定する。
【００４４】
そして、ＣＰＲＩ受信部３２は、ＲＥＣ２０との間でＣＰＲＩリンクの同期が確立された後に、受信ＳＥＲＤＥＳ３１から出力された下りリンクフレームを制御部３６および無線処理部３８へ出力する。
【００４５】
また、ＣＰＲＩ受信部３２は、下りリンクの同期外れを検出した場合、下りリンクの同期外れを制御部３６に通知する。ＣＰＲＩ受信部３２は、例えば、下りリンクの同期が確立している状態で、３回連続して同期信号の検出に失敗した場合に、下りリンクの同期外れを検出する。
【００４６】
ＣＰＲＩ送信部３４は、無線処理部３８から出力された信号を用いて上りリンクフレームを作成する。そして、ＣＰＲＩ送信部３４は、作成した上りリンクフレームを、制御部３６から指示されたタイミングで送信ＳＥＲＤＥＳ３３へ出力する。また、ＣＰＲＩ送信部３４は、制御部３６から上りリンクフレームが出力された場合、該上りリンクフレームを、制御部３６から指示されたタイミングで送信ＳＥＲＤＥＳ３３へ出力する。
【００４７】
送信ＳＥＲＤＥＳ３３は、ＣＰＲＩ送信部３４から出力された上りリンクフレームをパラレル信号からシリアル信号に変換する。そして、送信ＳＥＲＤＥＳ３３は、変換後の上りリンクフレームを電気信号から光信号に変換し、変換した上りリンクフレームを接続点Ｒ３からケーブル１２ｂへ送信する。
【００４８】
無線処理部３８は、ＣＰＲＩ受信部３２から出力された下りリンクフレームから同期信号を外す。そして、無線処理部３８は、同期信号を外した下りリンクフレームにアップコンバートや増幅等の所定の処理を施す。そして、無線処理部３８は、処理後の下りリンクフレームの信号を、受信ＳＥＲＤＥＳ３１が接続点Ｒ２において該下りリンクフレームを受信したタイミングからＴ２ａの時間が経過したタイミングで、接続点Ｒａからアンテナ４０へ出力する。接続点Ｒａから出力された下りリンクフレームの信号は、アンテナ４０から無線送信される。また、無線処理部３８は、アンテナ４０を介して受信した信号に、増幅やダウンコンバート等の所定の処理を施す。そして、無線処理部３８は、処理後の信号をＣＰＲＩ送信部３４へ出力する。
【００４９】
記憶部３７には、例えば図４に示すように、Ｔ２ａ、Ｔｏｆｆｓｅｔ１、およびＴｏｆｆｓｅｔ２が記憶される。図４は、記憶部３７に記憶されるデータの一例を示す図である。Ｔ２ａおよびＴｏｆｆｓｅｔ１は、ＲＥ３０の製造メーカ等によって予め記憶部３７内に格納される。Ｔｏｆｆｓｅｔ２は、後述する測定部３５によって測定されて記憶部３７内に格納される。
【００５０】
測定部３５は、タイミング調整処理において、下りリンクの２回目以降の同期が確立された場合に、接続点Ｒ２において下りリンクフレームが受信されてから、接続点Ｒ３において上りリンクフレームが送信されるまでの時間Ｔｏｆｆｓｅｔ２を測定する。そして、測定部３５は、測定したＴｏｆｆｓｅｔ２を記憶部３７に格納する。
【００５１】
制御部３６は、タイミング調整処理において、下りリンクの１回目の同期が確立された場合、送信ＳＥＲＤＥＳ３３およびＣＰＲＩ送信部３４を起動させる。そして、制御部３６は、記憶部３７からＴｏｆｆｓｅｔ１を読み出す。そして、制御部３６は、接続点Ｒ２において下りリンクフレームが受信されてからＴｏｆｆｓｅｔ１の時間が経過した後に該下りリンクフレームに対応する上りリンクフレームが接続点Ｒ３から送信されるように、該上りリンクフレームをＣＰＲＩ送信部３４へ出力する。これにより、接続点Ｒ２において受信された下りリンクフレームは、該下りリンクフレームが接続点Ｒ２において受信されたタイミングからＴｏｆｆｓｅｔ１遅延したタイミングで、上りリンクフレームとして接続点Ｒ３から送信される。
【００５２】
なお、制御部３６は、下りリンクフレームと同一の信号を上りリンクフレームとしてＣＰＲＩ送信部３４へ出力する他、下りリンクフレームに対応する信号であって、該下りリンクフレームとは異なる信号を上りリンクフレームとしてＣＰＲＩ送信部３４へ出力してもよい。
【００５３】
また、本実施例において、制御部３６は、接続点Ｒ２において下りリンクフレームが受信されてからＴｏｆｆｓｅｔ１の時間が経過した後に該下りリンクフレームに対応する上りリンクフレームが接続点Ｒ３から送信されるように、該上りリンクフレームのＣＰＲＩ送信部３４へ出力するタイミングを調整する。しかし、開示の技術はこれに限られない。例えば、制御部３６は、接続点Ｒ２において受信された下りリンクフレームに対応する上りリンクフレームの出力タイミングを調整することなく、ＣＰＲＩ送信部３４へ出力してもよい。この場合、接続点Ｒ２において下りリンクフレームが受信されてから、該下りリンクフレームに対応する上りリンクフレームが接続点Ｒ３から送信されるまでの結果としての遅延時間が、Ｔｏｆｆｓｅｔ１として記憶部３７に記憶されることになる。
【００５４】
また、タイミング調整処理において、下りリンクの１回目の同期が確立された後に、ＲＥ構成情報要求を含む下りリンクフレームがＣＰＲＩ受信部３２から出力された場合、制御部３６は、記憶部３７からＴ２ａおよびＴｏｆｆｓｅｔ１を取得する。そして、制御部３６は、Ｔ２ａおよびＴｏｆｆｓｅｔ１を含むＲＥ構成情報応答を作成する。そして、制御部３６は、ＲＥ構成情報応答を含む下りリンクフレームをＣＰＲＩ送信部３４へ出力する。これにより、Ｔ２ａおよびＴｏｆｆｓｅｔ１を含むＲＥ構成情報応答がケーブル１２ｂを介してＲＥＣ２０へ送信される。
【００５５】
また、制御部３６は、タイミング調整処理において、下りリンクの１回目の同期が確立された後に、下りリンクの同期外れが検出された場合、送信ＳＥＲＤＥＳ３３およびＣＰＲＩ送信部３４に上りリンクフレームの送信を継続させる。制御部３６は、例えば、ＣＰＲＩ送信部３４へ上りリンクフレームの出力を続けることにより、送信ＳＥＲＤＥＳ３３およびＣＰＲＩ送信部３４に上りリンクフレームの送信を継続させる。
【００５６】
ここで、下りリンクの同期が外れている期間に送信ＳＥＲＤＥＳ３３から送信される上りリンクフレームの送信タイミングは、下りリンクの同期が確立されている期間に送信された上りリンクフレームと同一のタイミングである。また、下りリンクの同期が外れている期間に送信ＳＥＲＤＥＳ３３から送信される上りリンクフレームは、例えば下りリンクの同期が外れている旨を示す情報を含む予め定められた上りリンクフレームである。また、下りリンクの同期が外れている期間に送信ＳＥＲＤＥＳ３３から送信される上りリンクフレームは、例えば下りリンクの同期が確立されている期間に最後に送信された上りリンクフレームが繰り返し送信されてもよい。
【００５７】
制御部３６は、タイミング調整処理において、下りリンクの２回目の同期が確立された場合に、記憶部３７からＴｏｆｆｓｅｔ２を読み出す。そして、制御部３６は、Ｔｏｆｆｓｅｔ２で示される時間が所定時間ΔＴ３未満か否かを判定する。所定時間ΔＴ３は、３．８４ＭＨｚのチップレートの信号において、例えば２５６チップに相当する期間である。所定時間ΔＴ３は、第３の時間の一例である。
【００５８】
Ｔｏｆｆｓｅｔ２で示される時間が所定時間ΔＴ３以上である場合、制御部３６は、記憶部３７内のＴｏｆｆｓｅ２の値を、記憶部３７内のＴｏｆｆｓｅｔ１の値で上書きする。そして、制御部３６は、接続点Ｒ２において下りリンクフレームが受信されてからＴｏｆｆｓｅｔ１の時間が経過した後に、該下りリンクフレームに対応する上りリンクフレームをＣＰＲＩ送信部３４へ出力する。これにより、接続点Ｒ３から送信される上りリンクフレームの送信タイミングは、接続点Ｒ２において受信された下りリンクフレームの受信タイミングからＴｏｆｆｓｅｔ１の時間が経過した後のタイミングに変更される。
【００５９】
また、制御部３６は、タイミング調整処理において、下りリンクの２回目以降の同期が確立された後に、ＲＥ構成情報要求を含む下りリンクフレームがＣＰＲＩ受信部３２から出力された場合、記憶部３７からＴｏｆｆｓｅｔ２を取得する。そして、制御部３６は、Ｔｏｆｆｓｅｔ２を含むＲＥ構成情報応答を作成する。そして、制御部３６は、ＲＥ構成情報応答を含む下りリンクフレームをＣＰＲＩ送信部３４へ出力する。これにより、Ｔｏｆｆｓｅｔ２を含むＲＥ構成情報応答がケーブル１２ｂを介してＲＥＣ２０へ送信される。
【００６０】
制御部３６は、タイミング調整処理の終了を示すメッセージを含む下りリンクフレームがＣＰＲＩ受信部３２から出力された場合、タイミング調整処理を終了する。
【００６１】
＜伝送システム１０の動作＞
図５から図８は、伝送システム１０の動作の一例を示す図である。図５は、１回目の同期確立における伝送システム１０の動作の一例を示す図である。図６は、下りリンクフレームのタイミングが変更された場合の従来の伝送システムの動作の一例を示す図である。図７および図８は、下りリンクフレームのタイミングが変更された場合の本実施例の伝送システム１０の動作の一例を示す図である。
【００６２】
まず、ＲＥＣ２０は、例えば図５に示すように、時刻ｔ０において、１フレームの期間Ｔｆ（本実施例では、例えば６６μ秒）毎に、接続点Ｒ１から下りリンクフレーム５０ａの送信を開始する。ＲＥＣ２０から送信された下りリンクフレーム５０ａは、ケーブル１２ａを介して、Ｔ１２後にＲＥ３０の接続点Ｒ２において受信される。そして、ＲＥ３０は、下りリンクフレーム５０ａの先頭に付加されている同期信号５１の受信に、例えば４回連続して成功した時刻ｔ１において下りリンクの同期確立を検出する。
【００６３】
ＲＥ３０は、下りリンクの同期確立を検出した場合に、接続点Ｒ３から下りリンクフレーム５０ａに対応する上りリンクフレーム５０ｂの送信を開始する。上りリンクフレーム５０ｂは、下りリンクフレーム５０ａが接続点Ｒ２において受信されてからＴｏｆｆｓｅｔ１の時間が経過した後に、接続点Ｒ３から送信される。
【００６４】
ＲＥ３０から送信された上りリンクフレーム５０ｂは、ケーブル１２ｂを介して、Ｔ３４後にＲＥＣ２０の接続点Ｒ４において受信される。そして、ＲＥＣ２０は、上りリンクフレーム５０ｂの先頭に付加されている同期信号５１の受信に、例えば４回連続して成功した時刻ｔ２において上りリンクの同期確立を検出する。
【００６５】
そして、ＲＥＣ２０は、接続点Ｒ１において下りリンクフレーム５０ａを送信してから、該下りリンクフレーム５０ａに対応する上りリンクフレーム５０ｂを、接続点Ｒ４において受信するまでの往復時間Ｔ１４を測定する。
【００６６】
図５に示すように、時刻ｔ０から時刻ｔ１までの間には、下りリンクフレーム５０ａの期間Ｔｆが少なくとも３つ含まれ、時刻ｔ１から時刻ｔ２までの間には、上りリンクフレーム５０ｂの期間Ｔｆが少なくとも３つ含まれる。従って、ＲＥＣ２０とＲＥ３０との間で、下りリンクおよび上りリンクの同期が確立されるまでには、少なくとも６×Ｔｆの時間がかかる。
【００６７】
ここで、下りリンクフレーム５０ａおよび上りリンクの同期が確立された後の従来の伝送システムの動作について、図６を参照しながら説明する。時刻ｔ２において上りリンクの同期が確立された後、例えば図６に示すように、ＲＥＣ２０は、ＲＥ構成情報要求５２を含む下りリンクフレーム５０ａを接続点Ｒ１から送信する。ＲＥ３０は、Ｔ１２が経過した後に、接続点Ｒ２において、ＲＥ構成情報要求５２を含む下りリンクフレーム５０ａを受信する。
【００６８】
そして、ＲＥ３０は、Ｔｏｆｆｓｅｔ１およびＴ２ａ等の情報を含むＲＥ構成情報応答５３を作成する。そして、ＲＥ３０は、作成したＲＥ構成情報応答５３を含む上りリンクフレーム５０ｂを接続点Ｒ３から送信する。ＲＥＣ２０は、接続点Ｒ４において、ＲＥ構成情報応答５３を含む上りリンクフレーム５０ｂを受信する。
【００６９】
次に、ＲＥＣ２０は、例えば前述の（１）から（３）式を用いて、基準タイミングＴｒと、接続点Ｒ１における現在の下りリンクフレームの送信タイミングＴｃからＴｄ１が経過したタイミングとの時間差Ｔｄ２を算出する。図６の例では、Ｔｄ２の絶対値が所定の閾値ΔＴ１以上であると仮定する。Ｔｄ２の絶対値が所定の閾値ΔＴ１以上であるため、ＲＥＣ２０は、例えば時刻ｔ３において、接続点Ｒ１における現在の下りリンクフレームの送信タイミングＴｃを、Ｔｄ２ずらしたタイミングに変更する。これにより、例えば図６に示すように、同期信号５１’のタイミングが、同期信号５１のタイミングからＴｄ２ずれたタイミングに変更される。
【００７０】
ＲＥ３０では、下りリンクフレーム５０ａの送信タイミングが変更される前のタイミングで同期信号５１の検出を行っているため、同期信号５１の検出に失敗する。そして、３回連続で同期信号５１の検出に失敗した時刻ｔ４において、ＲＥ３０は、下りリンクの同期外れを検出する。従来のＲＥ３０は、下りリンクの同期外れを検出した場合、送信ＳＥＲＤＥＳ３３を停止することにより上りリンクフレーム５０ｂの送信を停止する。これにより、接続点Ｒ３において、上りリンクにおける光出力が停止する。これにより、接続点Ｒ４において上りリンクフレーム５０ｂが受信されなくなり、ＲＥＣ２０は、同期外れを検出する。
【００７１】
そして、従来の伝送システムは、時刻ｔ４以降に、再び図５に示した同期確立の動作を開始する。そして、ＲＥＣ２０とＲＥ３０とが再び同期を確立した後に、ＲＥＣ２０は、Ｔ１４を再測定し、再測定したＴ１４と、１回目の同期確立後に取得したＴｏｆｆｓｅｔ１と、前述の（１）から（３）式とを用いて、Ｔｄ２を算出する。そして、ＲＥＣ２０は、Ｔｄ２の絶対値が所定の閾値ΔＴ１未満であるか否かを判定する。Ｔｄ２の絶対値が所定の閾値ΔＴ１以上である場合、ＲＥＣ２０は、図６に示した動作と、図５に示した動作を再び実行する。
【００７２】
図６に示すように、時刻ｔ２から時刻ｔ４までの間には、下りリンクフレーム５０ａの期間Ｔｆが少なくとも３つ含まれる。従って、下りリンクフレームのタイミングが変更されて同期外れが検出されるまでには、少なくとも３×Ｔｆの時間がかかる。
【００７３】
ここで、従来の伝送システムのＲＥは、下りリンクの同期外れを検出した場合に、上りリンクフレーム５０ｂの送信を行う送信ＳＥＲＤＥＳを停止させることにより、上りリンクフレーム５０ｂの送信を停止する。そして、下りリンクの同期が再び確立された場合、ＲＥは、送信ＳＥＲＤＥＳを起動することにより、上りリンクフレーム５０ｂの送信を再開する。ここで、送信ＳＥＲＤＥＳが一旦停止した後に起動すると、停止前の送信ＳＥＲＤＥＳから出力された信号に含まれる遅延誤差と、再起動後の送信ＳＥＲＤＥＳから出力された信号に含まれる遅延誤差とが異なる場合がある。
【００７４】
そのため、ＲＥＣ２０が、下りリンクフレーム５０ａのタイミングを変更した後に、再度Ｔ１４を測定すると、Ｔ１４に含まれる送信ＳＥＲＤＥＳの遅延誤差が変化する場合がある。そのため、実際のＴｄ２の絶対値が所定の閾値ΔＴ１未満であったとしても、送信ＳＥＲＤＥＳの遅延誤差が変化により、再度測定されたＴ１４に基づいて算出されたＴｄ２の絶対値が所定の閾値ΔＴ１以上と判定される場合がある。Ｔｄ２の絶対値が所定の閾値ΔＴ１以上である場合、ＲＥＣ２０およびＲＥ３０は、図６に示した動作と、図５に示した動作とを再び実行することになる。さらに、図６に示した動作と、図５に示した動作とが実行されたとしても、送信ＳＥＲＤＥＳの遅延誤差がその都度変化するため、次に測定されたＴ１４に基づいて算出されたＴｄ２の絶対値が所定の閾値ΔＴ１未満になるとは限らない。そのため、従来の伝送システムでは、Ｔｄ２の絶対値が所定の閾値ΔＴ１未満になるまで、図６に示した動作と、図５に示した動作とが繰り返されることになる。そのため、タイミング調整処理が終了するまでの時間が長くなる。
【００７５】
また、例えば図１に示したＲＥ３０−４のように、他のＲＥ３０を介してカスケード接続されたＲＥ３０では、ＲＥ３０とＲＥＣ２０との間の上りリンク内に存在する送信ＳＥＲＤＥＳの数が多くなる。そのため、各送信ＳＥＲＤＥＳの遅延誤差の累積により、Ｔｄ２の絶対値が所定の閾値ΔＴ１未満になる確率がさらに低くなる。そのため、タイミング調整処理が終了するまでの時間がさらに長くなる。
【００７６】
これに対し、本実施例の伝送システム１０は、タイミング調整処理において、図５に示した１回目の同期確立が終了した後に、例えば図７および図８に示すように動作する。即ち、時刻ｔ２において上りリンクの１回目の同期が確立されると、例えば図７に示すように、ＲＥＣ２０は、ＲＥ構成情報要求５２を含む下りリンクフレーム５０ａを接続点Ｒ１から送信する。ＲＥ３０は、Ｔ１２が経過した後に、接続点Ｒ２において、ＲＥ構成情報要求５２を含む下りリンクフレーム５０ａを受信する。
【００７７】
そして、ＲＥ３０は、Ｔｏｆｆｓｅｔ１およびＴ２ａ等の情報を含むＲＥ構成情報応答５３を有する上りリンクフレーム５０ｂを接続点Ｒ３から送信する。ＲＥＣ２０は、Ｔ３４が経過した後に、接続点Ｒ４において、ＲＥ構成情報応答５３を含む上りリンクフレーム５０ｂを受信する。
【００７８】
次に、ＲＥＣ２０は、例えば前述の（１）から（３）式を用いて、基準タイミングＴｒと、接続点Ｒ１における現在の下りリンクフレームの送信タイミングＴｃからＴｄ１が経過したタイミングとの時間差Ｔｄ２を算出する。図７の例では、Ｔｄ２の絶対値が所定の閾値ΔＴ１以上であると仮定する。Ｔｄ２の絶対値が所定の閾値ΔＴ１以上であるため、ＲＥＣ２０は、例えば時刻ｔ３において、接続点Ｒ１における現在の下りリンクフレームの送信タイミングＴｃを、Ｔｄ２ずらしたタイミングに変更する。これにより、例えば図７に示すように、同期信号５１’のタイミングが、同期信号５１のタイミングからＴｄ２ずれたタイミングに変更される。なお、ＲＥＣ２０は、下りリンクフレーム５０ａの送信タイミングを変更した場合、前述の（４）式を用いて、Ｔｏｆｆｓｅｔ２の期待値であるＴｏｆｆｓｅｔ２ｅを推定する。
【００７９】
下りリンクフレームの送信タイミングが変更されたことにより、ＲＥ３０では、下りリンクフレーム５０ａの送信タイミングが変更される前の同期信号５１のタイミングにおいて同期信号５１が検出されなくなる。そして、３回連続で同期信号５１の検出に失敗した時刻ｔ４において、ＲＥ３０は、下りリンクの同期外れを検出する。本実施例のＲＥ３０は、下りリンクの同期外れを検出した場合、送信ＳＥＲＤＥＳ３３を停止させることなく、上りリンクフレーム５０ｃの送信を継続する。上りリンクフレーム５０ｃは、例えば下りリンクの同期が外れている旨を示す情報等を含むハイパーフレームである。上りリンクフレーム５０ｃの先頭には同期信号５１が付加されている。これにより、ＲＥＣ２０は、上りリンクの同期を維持することができる。
【００８０】
下りリンクの同期外れが検出された後の時刻ｔ５から、ＲＥ３０は、例えば図８に示すように、接続点Ｒ２において受信された下りリンクフレーム５０ａの同期信号に基づいて、下りリンクの同期を再度確立する。そして、ＲＥ３０は、下りリンクフレーム５０ａの先頭に付加されている同期信号５１’の受信に、例えば４回連続して成功した時刻ｔ６において下りリンクの２回目の同期確立を検出する。
【００８１】
２回目の同期確立が検出された後、ＲＥ３０は、受信した下りリンクフレーム５０ａを上りリンクフレーム５０ｄとして送信する。そして、ＲＥ３０は、接続点Ｒ２における下りリンクフレーム５０ａの受信タイミングから、接続点Ｒ３における上りリンクフレーム５０ｄの送信タイミングまでの時間差Ｔｏｆｆｓｅｔ２を測定する。そして、ＲＥ３０は、測定したＴｏｆｆｓｅｔ２を記憶部３７に記憶する。そして、ＲＥ３０は、Ｔｏｆｆｓｅｔ２で示される時間が所定時間未満である場合、上りリンクフレーム５０ｄの送信タイミングを変更しない。
【００８２】
接続点Ｒ３からケーブル１２ｂを介して送信された上りリンクフレーム５０ｄは、Ｔ３４が経過した後にＲＥＣ２０の接続点Ｒ４において受信される。ＲＥＣ２０は、時刻ｔ７において受信した上りリンクフレーム５０ｄに基づいて、Ｔ１４を再測定する。そして、ＲＥＣ２０は、ＲＥ構成情報要求５２を含む下りリンクフレーム５０ａを接続点Ｒ１から送信する。ＲＥ３０は、Ｔ１２が経過した後に、接続点Ｒ２において、ＲＥ構成情報要求５２を含む下りリンクフレーム５０ａを受信する。そして、ＲＥ３０は、Ｔｏｆｆｓｅｔ２等の情報を含むＲＥ構成情報応答５３を作成し、ＲＥ構成情報応答５３を含む上りリンクフレーム５０ｄを接続点Ｒ３から送信する。
【００８３】
ＲＥＣ２０は、接続点Ｒ４においてＲＥ構成情報応答５３を含む上りリンクフレーム５０ｄを受信し、ＲＥ構成情報応答５３からＴｏｆｆｓｅｔ２を取得する。そして、ＲＥＣ２０は、前述の（４）式を用いて推定した期待値Ｔｏｆｆｓｅｔ２ｅと、ＲＥ構成情報応答５３から取得したＴｏｆｆｓｅｔ２との差分Ｔｄ３の絶対値が所定の閾値ΔＴ２未満であるか否かを判定する。Ｔｄ３の絶対値が所定の閾値ΔＴ２未満である場合、ＲＥＣ２０は、タイミング調整処理の終了を示すメッセージを含む下りリンクフレーム５０ａをＲＥ３０へ送信する。一方、Ｔｄ３の絶対値が所定の閾値ΔＴ２以上である場合、図７に示した時刻ｔ３以降の処理が再び行われる。
【００８４】
本実施例において、ＲＥ３０は、下りリンクの同期外れが検出された場合でも、送信ＳＥＲＤＥＳ３３を停止させることなく、上りリンクフレーム５０ｃの送信を継続する。そのため、送信ＳＥＲＤＥＳ３３の再起動による遅延誤差の変動は発生せず、Ｔ１４の測定において、ＲＥ３０内の遅延が一定に保たれる。これにより、ＲＥＣ２０が、下りリンクフレーム５０ａのタイミングを変更した後に再測定されたＴ１４に基づくＴｄ２の絶対値は、所定の閾値ΔＴ１未満となる可能性が高まる。これにより、本実施例の伝送システム１０は、送信ＳＥＲＤＥＳ３３の遅延誤差の変動に伴う無駄な再調整を防止することができる。従って、本実施例の伝送システム１０では、従来よりもタイミング調整処理が終了するまでの時間を短縮することができる。
【００８５】
また、従来の伝送システムでは、下りリンクフレーム５０ａの送信タイミングが変更された場合に、下りリンクの同期外れにより、上りリンクフレーム５０ｂの送信が停止される。これにより、ＲＥＣ２０において上りリンクの同期が外れる。そのため、従来の伝送システムでは、下りリンクフレーム５０ａの送信タイミングの変更により下りリンクの同期が外れた場合、下りリンクの再同期に加えて、上りリンクの再同期も行われることになる。上りリンクの再同期には、上りリンクフレーム５０ｂの期間Ｔｆが少なくとも３つ含まれる。
【００８６】
これに対し、本実施例の伝送システム１０では、下りリンクフレーム５０ａの送信タイミングの変更により下りリンクの同期が外れた場合であっても、上りリンクフレーム５０ｃの送信が継続される。これにより、ＲＥ３０において下りリンクの同期が外れた場合であっても、ＲＥＣ２０において上りリンクの同期が維持される。そのため、本実施例の伝送システム１０では、下りリンクフレーム５０ａの送信タイミングの変更により下りリンクの同期が外れた場合、下りリンクの再同期が行われれば、上りリンクの再同期は不要である。そのため、本実施例の伝送システム１０では、従来よりもタイミング調整処理が終了するまでの時間を短縮することができる。
【００８７】
＜ＲＥＣ２０の動作＞
図９は、ＲＥＣ２０におけるタイミング調整処理の一例を示すフローチャートである。ＲＥＣ２０は、例えば管理者等からの指示を受信した場合等の所定のタイミングで、図９に示すタイミング調整処理を開始する。なお、図９に示すタイミング調整処理は、ＲＥＣ２０によって実行される同期確立方法の一例である。
【００８８】
まず、調整部２５は、ＣＰＲＩ送信部２１を介して下りリンクフレームの送信を開始する（Ｓ１００）。そして、ＣＰＲＩ受信部２３は、ＲＥ３０からの上りリンクフレームに付加された同期信号に基づいて、上りリンクの同期確立を判定する（Ｓ１０１）。調整部２５は、ＣＰＲＩ受信部２３によって上りリンクの同期が確立したと判定された場合に、ＲＥ３０へ送信した下りリンクフレームと、ＲＥ３０から受信した上りリンクフレームとに基づいて、往復時間Ｔ１４を測定する（Ｓ１０２）。
【００８９】
次に、調整部２５は、ＲＥ装置情報要求を含む下りリンクフレームを、ＣＰＲＩ送信部２１を介してＲＥ３０へ送信する。そして、調整部２５は、ＲＥ装置情報応答をＲＥ３０から受信し、受信したＲＥ装置情報応答からＴｏｆｆｓｅｔ１およびＴ２ａを取得する（Ｓ１０３）。
【００９０】
次に、調整部２５は、ステップＳ１０２で測定したＴ１４と、ＲＥ装置情報応答から取得したＴｏｆｆｓｅｔ１と、前述の（１）および（２）式とを用いて、Ｔｄ１を算出する（Ｓ１０４）。そして、調整部２５は、算出したＴｄ１と、前述の（３）式とを用いて、Ｔｄ２を算出する（Ｓ１０５）。
【００９１】
次に、調整部２５は、Ｔｄ２の絶対値が閾値ΔＴ１未満であるか否かを判定する（Ｓ１０６）。Ｔｄ２の絶対値が閾値ΔＴ１未満である場合（Ｓ１０６：Ｙｅｓ）、調整部２５は、タイミング調整処理の終了を示すメッセージを含む下りリンクフレームを、ＣＰＲＩ送信部２１を介してＲＥ３０へ送信する（Ｓ１１２）。そして、ＲＥＣ２０は、本フローチャートに示すタイミング調整処理を終了する。
【００９２】
Ｔｄ２の絶対値が閾値ΔＴ１以上である場合（Ｓ１０６：Ｎｏ）、調整部２５は、Ｔｄ２に基づいて、接続点Ｒ１における現在の下りリンクフレームの送信タイミングＴｃを変更する（Ｓ１０７）。そして、調整部２５は、Ｔｄ２と、前述の（４）式とを用いて、下りリンクフレームの送信タイミングの変更により変化したＴｏｆｆｓｅｔの期待値であるＴｏｆｆｓｅｔ２ｅを推定する（Ｓ１０８）。
【００９３】
次に、調整部２５は、ＲＥ装置情報要求を含む下りリンクフレームを、ＣＰＲＩ送信部２１を介してＲＥ３０へ送信する。そして、調整部２５は、ＲＥ装置情報応答をＲＥ３０から受信し、受信したＲＥ装置情報応答から、下りリンクフレームの送信タイミングの変更により変化したＴｏｆｆｓｅｔであるＴｏｆｆｓｅｔ２を取得する（Ｓ１０９）。
【００９４】
次に、調整部２５は、ステップＳ１０８において推定した期待値Ｔｏｆｆｓｅｔ２ｅと、ＲＥ３０から取得したＴｏｆｆｓｅｔ２との差分Ｔｄ３の絶対値が、所定の閾値ΔＴ２未満か否かを判定する（Ｓ１１０）。Ｔｄ３の絶対値がΔＴ２未満である場合（Ｓ１１０：Ｙｅｓ）、調整部２５は、ステップＳ１１２に示した処理を実行する。
【００９５】
一方、Ｔｄ３の絶対値がΔＴ２以上である場合（Ｓ１１０：Ｎｏ）、調整部２５は、再度Ｔ１４を測定する。そして、調整部２５は、Ｔｏｆｆｓｅｔ１をＴｏｆｆｓｅｔ２に置き換えた前述の（１）式を用いて、Ｔ１２を再度算出する。そして、調整部２５は、再度算出したＴ１２と前述の（２）式とを用いてＴｄ１を再度算出する。そして、調整部２５は、再度算出したＴｄ１と前述の（３）式を用いてＴｄ２を再度算出する（Ｓ１１１）。そして、調整部２５は、再びステップＳ１０７に示した処理を実行する。
【００９６】
＜ＲＥ３０の動作＞
図１０は、ＲＥ３０におけるタイミング調整処理の一例を示すフローチャートである。ＲＥ３０は、例えばリセット解除等の所定のタイミングで、図１０に示すタイミング調整処理を開始する。なお、図１０に示すタイミング調整処理は、ＲＥ３０によって実行される同期確立方法の一例である。
【００９７】
まず、ＣＰＲＩ受信部３２は、ＲＥＣ２０からの下りリンクフレームに付加された同期信号に基づいて、下りリンクの同期確立を判定する（Ｓ２００）。制御部３６は、ＣＰＲＩ受信部３２によって下りリンクの同期が確立したと判定された場合に、送信ＳＥＲＤＥＳ３３およびＣＰＲＩ送信部３４を起動させる。そして、制御部３６は、記憶部３７からＴｏｆｆｓｅｔ１を読み出す。そして、制御部３６は、接続点Ｒ２において下りリンクフレームが受信されてからＴｏｆｆｓｅｔ１の時間が経過した後に、該下りリンクフレームに対応する上りリンクフレームをＣＰＲＩ送信部３４へ出力する。これにより、接続点Ｒ２において受信された下りリンクフレームは、Ｔｏｆｆｓｅｔ１の時間が経過した後に、上りリンクフレームとして接続点Ｒ３から送信開始される（Ｓ２０１）。
【００９８】
次に、制御部３６は、ＣＰＲＩ受信部３２から出力された下りリンクフレームのペイロードを参照して、ＲＥ構成情報要求を受信したか否かを判定する（Ｓ２０２）。ＲＥ構成情報要求を受信していない場合（Ｓ２０２：Ｎｏ）、制御部３６は、再びステップＳ２０２に示した処理を実行する。
【００９９】
一方、ＲＥ構成情報要求を受信した場合（Ｓ２０２：Ｙｅｓ）、制御部３６は、記憶部３７からＴ２ａおよびＴｏｆｆｓｅｔ１を取得する。そして、制御部３６は、Ｔ２ａおよびＴｏｆｆｓｅｔ１を含むＲＥ構成情報応答を作成する。そして、制御部３６は、ＲＥ構成情報応答を含む下りリンクフレームをＣＰＲＩ送信部３４へ出力する。これにより、Ｔ２ａおよびＴｏｆｆｓｅｔ１を含むＲＥ構成情報応答がケーブル１２ｂを介してＲＥＣ２０へ送信される（Ｓ２０３）。
【０１００】
次に、制御部３６は、ＣＰＲＩ受信部３２によって下りリンクの同期外れが検出されたか否かを判定する（Ｓ２０４）。下りリンクの同期外れが検出されていない場合（Ｓ２０４：Ｎｏ）、制御部３６は、ＣＰＲＩ受信部３２から出力された下りリンクフレームのペイロードを参照して、タイミング調整処理の終了が通知されたか否かを判定する（Ｓ２０５）。タイミング調整処理の終了が通知されていない場合（Ｓ２０５：Ｎｏ）、制御部３６は、再びステップＳ２０４に示した処理を実行する。一方、タイミング調整処理の終了が通知された場合（Ｓ２０５：Ｙｅｓ）、ＲＥ３０は、本フローチャートに示したタイミング調整処理を終了する。
【０１０１】
下りリンクの同期外れが検出された場合（Ｓ２０４：Ｙｅｓ）、制御部３６は、ＣＰＲＩ送信部３４への上りリンクフレームの出力を継続することにより、送信ＳＥＲＤＥＳ３３およびＣＰＲＩ送信部３４に上りリンクフレームの送信を継続させる（Ｓ２０６）。そして、測定部３５は、ＣＰＲＩ受信部３２からの出力を参照して、下りリンクの同期が再び確立したか否かを判定する（Ｓ２０７）。下りリンクの同期が確立していない場合（Ｓ２０７：Ｎｏ）、測定部３５は、再びステップＳ２０７に示した処理を実行する。
【０１０２】
下りリンクの同期が再び確立した場合（Ｓ２０７：Ｙｅｓ）、測定部３５は、接続点Ｒ２で下りリンクフレームが受信されてから、該下りリンクフレームが上りリンクフレームとして接続点Ｒ３から送信されるまでの時間Ｔｏｆｆｓｅｔ２を測定する（Ｓ２０８）。そして、測定部３５は、測定したＴｏｆｆｓｅｔ２を記憶部３７に格納する。
【０１０３】
次に、制御部３６は、記憶部３７に格納されたＴｏｆｆｓｅｔ２で示される時間が、所定時間ΔＴ３未満か否かを判定する（Ｓ２０９）。Ｔｏｆｆｓｅｔ２で示される時間がΔＴ３未満である場合（Ｓ２０９：Ｙｅｓ）、制御部３６は、上りリンクフレームの送信タイミングを変更することなく、ステップＳ２１２に示す処理を実行する。
【０１０４】
図１１は、上りリンクフレームの送信タイミングを説明する図である。ＲＥ３０は、例えば図１１に示すように、下りリンクの同期外れが検出された場合でも、送信タイミングが変更される前の下りリンクフレームの受信タイミングＴ８０からＴｏｆｆｓｅｔ１が経過したタイミングＴ８１で上りリンクフレームを送信している。そして、下りリンクフレームの送信タイミングの変更により、下りリンクフレームの受信タイミングがＴ８０からＴ８２に変更された場合、ＲＥ３０が下りリンクフレームを受信してから上りリンクフレームとして送信するまでの時間はＴｏｆｆｓｅｔ２となる。図１１の例では、Ｔｏｆｆｓｅｔ２で示される時間がΔＴ３未満であるため、ＲＥ３０は、上りリンクフレームの送信タイミングＴ８１を変更しない。これにより、下りリンクフレームの送信タイミングが変更された後では、ＲＥ３０は、下りリンクフレームの受信タイミングＴ８２からＴｏｆｆｓｅｔ２が経過したタイミングＴ８１において、上りリンクフレームを送信する。
【０１０５】
図１０に戻って説明を続ける。Ｔｏｆｆｓｅｔ２で示される時間がΔＴ３以上である場合（Ｓ２０９：Ｎｏ）、制御部３６は、記憶部３７内のＴｏｆｆｓｅｔ２の値を、記憶部３７内のＴｏｆｆｓｅｔ１の値で上書きする。これにより、Ｔｏｆｆｓｅｔ１の値がＴｏｆｆｓｅｔ２の値として記憶部３７に格納される（Ｓ２１０）。そして、制御部３６は、接続点Ｒ２で下りリンクフレームが受信されてからＴｏｆｆｓｅｔ１が経過した後に、該下りリンクフレームに対応する上りリンクフレームが接続点Ｒ３から送信されるように、上りリンクフレームの送信タイミングを変更する（Ｓ２１１）。
【０１０６】
図１２は、上りリンクフレームの送信タイミングを説明する図である。ＲＥ３０は、例えば図１２に示すように、下りリンクの同期外れが検出された場合でも、送信タイミングが変更される前の下りリンクフレームの受信タイミングＴ８０からＴｏｆｆｓｅｔ１が経過したタイミングＴ８１で上りリンクフレームを送信している。そして、下りリンクフレームの送信タイミングの変更により、下りリンクフレームの受信タイミングがＴ８０からＴ８２に変更された場合、ＲＥ３０が下りリンクフレームを受信して上りリンクフレームを送信するまでの時間はＴｏｆｆｓｅｔ２となる。図１２の例では、Ｔｏｆｆｓｅｔ２で示される時間がΔＴ３以上であるため、ＲＥ３０は、上りリンクフレームの送信タイミングをＴ８１からＴ８３に変更する。これにより、下りリンクフレームの送信タイミングが変更された後では、ＲＥ３０は、下りリンクフレームの受信タイミングＴ８２からＴｏｆｆｓｅｔ１が経過したタイミングＴ８３において、上りリンクフレームを送信する。
【０１０７】
なお、ＲＥ３０が上りリンクフレームの送信タイミングを変更すると、ＲＥＣ２０では上りリンクの同期が外れ、再同期が確立される。そして、ＲＥＣ２０は、ＲＥ２０からＴｏｆｆｓｅｔ２を取得する。そして、ＲＥＣ２０は、下りリンクフレームの送信タイミングの変更後に推定したＴｏｆｆｓｅｔ２ｅと、ＲＥ２０から取得したＴｏｆｆｓｅｔ２との差分Ｔｄ３を算出する。ＲＥ３０が上りリンクフレームの送信タイミングを変更すると、多くの場合、差分Ｔｄ３の絶対値が所定の閾値ΔＴ２以上となる。そのため、ＲＥＣ２０は、再びＴｄ２を算出し、算出したＴｄ２に基づいて下りリンクフレームの送信タイミングを再度変更する。
【０１０８】
図１０に戻って説明を続ける。制御部３６は、ＣＰＲＩ受信部３２から出力された下りリンクフレームのペイロードを参照して、ＲＥ構成情報要求を受信したか否かを判定する（Ｓ２１２）。ＲＥ構成情報要求を受信していない場合（Ｓ２１２：Ｎｏ）、制御部３６は、再びステップＳ２１２に示した処理を実行する。
【０１０９】
一方、ＲＥ構成情報要求を受信した場合（Ｓ２１２：Ｙｅｓ）、制御部３６は、記憶部３７からＴｏｆｆｓｅｔ２を取得する。そして、制御部３６は、Ｔｏｆｆｓｅｔ２を含むＲＥ構成情報応答を作成する。そして、制御部３６は、ＲＥ構成情報応答を含む下りリンクフレームをＣＰＲＩ送信部３４へ出力する。これにより、Ｔｏｆｆｓｅｔ２を含むＲＥ構成情報応答がケーブル１２ｂを介してＲＥＣ２０へ送信される（Ｓ２１３）。そして、制御部３６は、再びステップＳ２０４に示した処理を実行する。
【０１１０】
＜ハードウェア＞
図１３は、ＲＥＣ２０を実現する通信装置６０のハードウェアの一例を示す図である。通信装置６０は、例えば図１３に示すように、メモリ６１、プロセッサ６２、およびネットワークインターフェイス回路６３を有する。
【０１１１】
プロセッサ６２は、例えば、ＣＰＲＩ送信部２１、ＣＰＲＩ受信部２３、および調整部２５の機能を実現する。ネットワークインターフェイス回路６３は、例えば、送信ＳＥＲＤＥＳ２２およびＣＰＲＩ受信部２３の機能を実現する。メモリ６１には、ＣＰＲＩ送信部２１、ＣＰＲＩ受信部２３、および調整部２５の機能を実現するためのプログラムなどの各種プログラムが格納される。そして、プロセッサ６２は、メモリ６１から読み出したプログラムを実行し、ネットワークインターフェイス回路６３等と協働することによりＲＥＣ２０の機能を実現する。
【０１１２】
図１４は、ＲＥ３０を実現する通信装置７０のハードウェアの一例を示す図である。通信装置７０は、例えば図１４に示すように、ネットワークインターフェイス回路７１、メモリ７２、プロセッサ７３、無線回路７４、およびアンテナ４０を有する。
【０１１３】
無線回路７４は、プロセッサ７３から出力された信号に変調等の所定の処理を施し、処理後の信号をアンテナ４０を介して送信する。また、無線回路７４は、アンテナ４０を介して受信した信号に復調等の所定の処理を施してプロセッサ７３へ出力する。無線回路７４は、例えば無線処理部３８の機能を実現する。
【０１１４】
ネットワークインターフェイス回路７１は、例えば、受信ＳＥＲＤＥＳ３１および送信ＳＥＲＤＥＳ３３の機能を実現する。プロセッサ７３は、例えば、ＣＰＲＩ受信部３２、ＣＰＲＩ送信部３４、測定部３５、および制御部３６の機能を実現する。メモリ７２には、記憶部３７内のデータが格納される。また、メモリ７２には、ＣＰＲＩ受信部３２、ＣＰＲＩ送信部３４、測定部３５、および制御部３６の機能を実現するためのプログラムなどの各種プログラムが格納される。そして、プロセッサ７３は、メモリ７２から読み出したプログラムを実行し、ネットワークインターフェイス回路７１および無線回路７４等と協働することによりＲＥ３０の機能を実現する。
【０１１５】
＜実施例の効果＞
上記説明から明らかなように、本実施例のＲＥＣ２０は、ＲＥ３０との間で下りリンクおよび上りリンクの同期が確立した後に、ＲＥ３０のアンテナ４０からの下りリンクフレームの送信タイミングが所定のタイミングとなるように、ＲＥＣ２０から送信される下りリンクフレームの送信タイミングを調整する。また、本実施例のＲＥ３０は、ＲＥＣ２０との間で下りリンクの同期を確立した後に、上りリンクフレームの送信を開始する。そして、ＲＥ３０は、ＲＥＣ２０が下りリンクフレームの送信タイミングを変更したことにより下りリンクの同期外れが検出された場合であっても、上りリンクフレームの送信タイミングを維持する。これにより、送信ＳＥＲＤＥＳ３３の再起動による遅延誤差の変動を防止することができる。そのため、本実施例の伝送システム１０では、従来よりもタイミング調整処理が終了するまでの時間を短縮することができる。
【０１１６】
また、本実施例のＲＥ３０は、下りリンクの同期外れが検出された場合、下りリンクの同期外れが検出される前まで送信されていた上りリンクフレームの送信タイミングと同一のタイミングで、上りリンクフレームの送信を継続する。これにより、下りリンクの同期が外れた場合であっても、ＲＥＣ２０において上りリンクの同期が維持される。そのため、本実施例の伝送システム１０では、下りリンクフレームの送信タイミングの変更により下りリンクの同期が外れた場合であっても、下りリンクの再同期が行われれば、上りリンクの再同期は不要である。そのため、本実施例の伝送システム１０は、従来よりもタイミング調整処理が終了するまでの時間を短縮することができる。
【０１１７】
また、本実施例のＲＥ３０は、下りリンクの同期外れが検出された後に、下りリンクの同期が再び確立した場合、下りリンクの同期が再び確立した後に下りリンクフレームを受信するタイミングと、送信を継続している上りリンクフレームの送信タイミングとの時間差である第２の時間を測定する。また、本実施例のＲＥＣ２０は、下りリンクフレームの送信タイミングを変更した後に、ＲＥ３０において測定される第２の時間を推定する。そして、ＲＥＣ２０は、推定した第２の時間と、ＲＥ３０において測定された第２の時間との差が所定の閾値未満である場合に、下りリンクフレームの送信タイミングの調整が終了したと判定する。また、ＲＥＣ２０は、推定した第２の時間と、ＲＥ３０において測定された第２の時間との差が閾値以上である場合に、ＲＥ３０において測定された第２の時間に基づいて下りリンクフレームの送信タイミングを再度変更する。これにより、本実施例の伝送システム１０は、ＲＥ３０のアンテナ４０から下りリンクフレームが送信されるタイミングが所定のタイミングとなるように、下りリンクフレームの送信タイミングを調整することができる。
【０１１８】
また、本実施例のＲＥ３０は、下りリンクフレームの送信タイミングが変更された後に測定された第２の時間が第３の時間より長い場合、上りリンクフレームの送信タイミングを、下りリンクフレームを受信してから第１の時間が経過したタイミングに変更する。これにより、ＲＥ３０は、下りリンクフレームを受信してから上りリンクフレームの送信を開始するまでの時間を所定時間以内に抑えることができる。
【０１１９】
また、本実施例では、ＲＥ３０は、ＲＥＣ２０との間の信号往復時間に基づくタイミング調整において、下りリンクフレームの同期外れを検知しても上りリンクフレームの送信を継続すると共に、上りリンクフレームの送信タイミングを維持する。そのため、本実施例の伝送システム１０は、タイミング調整における無駄な再調整を防止し、無線制御装置の一例であるＲＥＣ２０と無線装置の一例であるＲＥ３０との間のタイミング調整にかかる時間を短縮することができる。
【０１２０】
＜その他＞
なお、開示の技術は、上記した実施例に限定されるものではなく、その要旨の範囲内で数々の変形が可能である。
【０１２１】
例えば、上記した実施例において、ＲＥ３０の制御部３６は、タイミング調整処理において、ＲＥＣ２０が下りリンクフレームの送信タイミングを変更したことにより下りリンクの同期外れが検出された場合であっても、上りリンクフレームの送信を継続する。しかし、開示の技術はこれに限られない。例えば、制御部３６は、タイミング調整処理において、下りリンクの同期外れが検出されてから所定時間が経過するまでの間に、下りリンクの再同期が確立されなかった場合、上りリンクフレームの送信を停止してもよい。これにより、ケーブル１２の断線等により下りリンクの同期が確立されない場合に、無駄な上りリンクフレームの送信を抑制することができる。所定時間は、第４の時間の一例である。
【０１２２】
また、上記した実施例において、ＲＥＣ２０の調整部２５は、下りリンクフレームの送信タイミングを変更した後に、期待値Ｔｏｆｆｓｅｔ２ｅを推定する。そして、調整部２５は、推定した期待値Ｔｏｆｆｓｅｔ２ｅと、ＲＥ３０において測定されたＴｏｆｆｓｅｔ２との差の絶対値が所定の閾値ΔＴ２未満か否かを判定することにより、下りリンクフレームの送信タイミングの調整が終了したか否かを判定する。しかし、開示の技術はこれに限られない。例えば、調整部２５は、下りリンクフレームの送信タイミングを変更した後に、Ｔ１４を再度測定し、再度測定したＴ１４と、ＲＥ３０から取得したＴｏｆｆｓｅｔ２と、前述の（１）から（３）式とを用いて、Ｔｄ２を算出する。そして、調整部２５は、Ｔｄ２の絶対値が所定の閾値ΔＴ１未満である場合に、下りリンクフレームの送信タイミングの調整が終了したと判定してもよい。
【０１２３】
具体的には、図９に示したＲＥＣ２０の動作において、調整部２５は、ステップＳ１０７の処理を実行した後に、ステップＳ１０２の処理を実行する。そして、調整部２５は、ステップＳ１０３においてＴｏｆｆｓｅｔ２を取得する。そして、調整部２５は、ステップＳ１０３において、Ｔｏｆｆｓｅｔ１をＴｏｆｆｓｅｔ２に置き換えた前述の（１）式を用いて、Ｔ１２を再度算出し、再度算出したＴ１２と前述の（２）式とを用いてＴｄ１を再度算出する。そして、調整部２５は、ステップＳ１０５において、Ｔｄ１と前述の（３）式とを用いてＴｄ２を再度算出する。そして、調整部２５は、ステップＳ１０６に示した処理を実行する。
【０１２４】
また、上記した実施例におけるタイミング調整処理は、ＲＥＣ２０およびＲＥ３０の運用中において、所定のタイミング毎に実行されてもよい。これにより、ケーブル１２やＲＥ３０の特性の経時変化に追従して、各ＲＥ３０の接続点Ｒａにおける下りリンクフレームの送信タイミングを調整することができる。ただし、ＲＥＣ２０およびＲＥ３０の運用中に行われるタイミング調整処理は、通信トラフィックが少ない時間帯に実行されることが好ましい。これにより、移動局の通信に与える影響を少なくすることができる。
【０１２５】
また、上記した実施例において、ＲＥ３０の制御部３６は、タイミング調整処理において、ＲＥＣ２０が下りリンクフレームの送信タイミングを変更したことにより下りリンクの同期外れが検出された場合であっても、上りリンクフレームの送信を継続する。しかし、開示の技術はこれに限られない。例えば、制御部３６は、タイミング調整処理において、下りリンクの同期外れが検出された場合に、下りリンクの再同期が確立されるまでの間は、上りリンクフレームの送信を停止させるが、上りリンクフレームの送信タイミングを維持してもよい。例えば、制御部３６は、下りリンクの再同期が確立されるまでの間は、送信ＳＥＲＤＥＳ３３に、下りリンクの同期外れが検出される前の上りリンクフレームの送信タイミングに同期して上りリンクフレームの生成を継続させる。ただし、制御部３６は、送信ＳＥＲＤＥＳ３３に、生成された上りリンクフレームの送信を停止させる。これにより、下りリンクの再同期が確立されるまでの間は、ＲＥ３０からＲＥＣ２０への上りリンクフレームの送信が停止される。
【符号の説明】
【０１２６】
１２  ケーブル
２０  ＲＥＣ
２１  ＣＰＲＩ送信部
２２  送信ＳＥＲＤＥＳ
２３  ＣＰＲＩ受信部
２４  受信ＳＥＲＤＥＳ
２５  調整部
３０  ＲＥ
３１  受信ＳＥＲＤＥＳ
３２  ＣＰＲＩ受信部
３３  送信ＳＥＲＤＥＳ
３４  ＣＰＲＩ送信部
３５  測定部
３６  制御部
３７  記憶部
３８  無線処理部
４０  アンテナ
【図１】
2017085473.tif 000003
【図２】
2017085473.tif 000004
【図３】
2017085473.tif 000005
【図４】
2017085473.tif 000006
【図５】
2017085473.tif 000007
【図６】
2017085473.tif 000008
【図７】
2017085473.tif 000009
【図８】
2017085473.tif 000010
【図９】
2017085473.tif 000011
【図１０】
2017085473.tif 000012
【図１１】
2017085473.tif 000013
【図１２】
2017085473.tif 000014
【図１３】
2017085473.tif 000015
【図１４】
2017085473.tif 000016